(57)【要約】【課題】簡易な実装およびシグナリングのオーバーヘッド低減を図る。【解決手段】本発明は、情報フィードバック方法を開示する。該方法は、サービングセルおよび／またはユーザ装置が、マルチ・アンテナ・マルチ・セル協調に参加する協調セルセットであって、上記サービングセルおよび非サービングセルを含む協調セルセットを決定するステップと、上記ユーザ装置および／または上記サービングセルが、上記決定した協調セルセットに従って、上記サービングセルおよび非サービングセルの送信ポートを選択するステップと、上記ユーザ装置が、上記選択した送信ポートのチャネル状態情報を取得するステップと、上記ユーザ装置が、上記選択した送信ポートの識別情報および上記チャネル状態情報をフィードバックするステップとを含む。また本発明は、選択された送信ポートの上記識別情報およびチャネル状態情報をフィードバックするサービングセル、協調セルおよびユーザ装置を開示する。【選択図】  図１
2013506315.tif 000002
【特許請求の範囲】
【請求項１】
サービングセル、および／または、ユーザ装置が、マルチ・アンテナ・マルチ・セル協調に参加する協調セルセットであって、上記サービングセルおよび非サービングセルを含む協調セルセットを決定するステップと、
上記ユーザ装置、および／または、上記サービングセルが、上記決定した協調セルセットに従って、上記サービングセルおよび非サービングセルの送信ポートを選択するステップと、
上記ユーザ装置が、上記選択した送信ポートのチャネル状態情報を取得するステップと、
上記ユーザ装置が、上記選択した送信ポートの識別情報および上記チャネル状態情報をフィードバックするステップと、を含む情報フィードバック方法。
【請求項２】
上記サービングセルが、上記ユーザ装置からのフィードバック情報に従って上記ユーザ装置に対するリソースを割り当てるステップと、
上記サービングセル、および、協調セルが、それぞれ上記サービングセル、および、協調セル自身の選択された送信ポートを用いて、データ信号を協調して上記ユーザ装置に送信するステップと、を含む請求項１に記載の情報フィードバック方法。
【請求項３】
上記ユーザ装置は、第１のフィードバック周期で、上記各協調セルの選択された送信ポートの識別情報をフィードバックし、
第２のフィードバック周期で、上記選択された送信ポートのチャネル状態情報をフィードバックする請求項１または２に記載の情報フィードバック方法。
【請求項４】
上記各協調セルの選択された送信ポートの識別情報のフィードバックと、上記選択された送信ポートのチャネル状態情報のフィードバックとが、同じ送信時間間隔内で衝突した場合に、
同時フィードバック（simultaneous feedback）が適用される、または、
上記各協調セルの選択された送信ポートの識別情報のみがフィードバックされる、または、
上記各協調セルの選択された送信ポートの識別情報と、上記選択された送信ポートのチャネル状態情報の一部とがフィードバックされる、
請求項３に記載の情報フィードバック方法。
【請求項５】
上記ユーザ装置、および／または、上記サービングセルは、上記サービングセルの全ての送信ポートを選択し、
上記ユーザ装置は、第１のフィードバック周期で、上記各非サービングセルの選択された送信ポートの識別情報をフィードバックし、
第２のフィードバック周期で、上記サービングセルの全ての選択された送信ポートのチャネル状態情報と、上記各非サービングセルの選択された送信ポートのチャネル状態情報とをフィードバックする請求項１または２に記載の情報フィードバック方法。
【請求項６】
上記各非サービングセルの選択された送信ポートの識別情報のフィードバックと、上記選択された送信ポートのチャネル状態情報のフィードバックとが、同じ送信時間間隔内で衝突した場合に、
同時フィードバックが適用される、または、
上記各非サービングセルの選択された送信ポートの識別情報のみがフィードバックされる、または、
上記各非サービングセルの選択された送信ポートの識別情報と、上記選択された送信ポートのチャネル状態情報の一部とがフィードバックされる、
請求項５に記載の情報フィードバック方法。
【請求項７】
上記ユーザ装置が、上記第２のフィードバック周期で、協調セル間のチャネル相互相関情報をフィードバックする請求項５に記載の情報フィードバック方法。
【請求項８】
上記各非サービングセルの選択された送信ポートの識別情報のフィードバックが、上記選択された送信ポートのチャネル状態情報、および／または、協調セル間の上記チャネル相互相関情報のフィードバックと、同じ送信時間間隔内で衝突した場合に、
同時フィードバックが適用される、または、
上記各非サービングセルの選択された送信ポートの識別情報のみがフィードバックされる、または、
上記各非サービングセルの選択された送信ポートの全ての識別情報と、上記選択された送信ポートのチャネル状態情報の一部、および／または、上記協調セル間のチャネル相互相関情報とがフィードバックされる、
請求項７に記載の情報フィードバック方法。
【請求項９】
上記チャネル状態情報は、完全なチャネル状態情報、統計ベースのチャネル状態情報、および、コードブック空間探索ベースのチャネル状態情報のうちの一種類、または、数種類の組み合わせである請求項３から８のいずれか１項に記載の情報フィードバック方法。
【請求項１０】
上記コードブック空間探索ベースのチャネル状態情報は、チャネルランク、プリコーディングマトリクス、および、チャネル品質指標のうちの少なくともひとつを含む請求項９に記載の情報フィードバック方法。
【請求項１１】
上記第１のフィードバック周期は、上記第２のフィードバック周期よりも長い請求項３から８のいずれか１項に記載の情報フィードバック方法。
【請求項１２】
サービングセルから無線情報を受信し、サービングセルに無線情報を送信する送受信ユニットと、
マルチ・アンテナ・マルチ・セル協調に参加する協調セルセットであって、上記サービングセルおよび非サービングセルを含む協調セルセットを決定する協調セルセット決定ユニットと、
上記決定された協調セルセットにおいて、上記サービングセルおよび非サービングセルの送信ポートを選択する送信ポート選択ユニットと、
上記選択された送信ポートのチャネル状態情報を取得するチャネル状態情報取得ユニットと、
上記送受信ユニットを用いて、上記選択された送信ポートの識別情報および上記チャネル状態情報をフィードバックする情報フィードバックユニットと、を備えるユーザ装置。
【請求項１３】
上記協調セルセット決定ユニットは、上記送受信ユニットによって受信された上記無線情報から、上記協調セルセットを、静的に構成された上記協調セルセット、または、半静的に構成された上記協調セルセット、または、上記サービングセルによって選択された上記協調セルセットより直接決定し、
上記送信ポート選択ユニットは、上記送受信ユニットによって受信された上記無線情報から、上記送信ポートを、静的に構成された上記送信ポート、または、半静的に構成された上記送信ポート、または、上記サービングセルによって選択された上記送信ポートより直接選択する請求項１２に記載のユーザ装置。
【請求項１４】
上記情報フィードバックユニットは、第１のフィードバック周期で、上記各協調セルの選択された送信ポートの識別情報をフィードバックし、
第２のフィードバック周期で、上記選択された送信ポートのチャネル状態情報を、フィードバックする請求項１２または１３に記載のユーザ装置。
【請求項１５】
上記各協調セルの選択された送信ポートの識別情報のフィードバックと、上記選択された送信ポートのチャネル状態情報のフィードバックとが、同じ送信時間間隔内で衝突した場合に、上記情報フィードバックユニットは、
同時フィードバックを適用する、または、
上記各協調セルの選択された送信ポートの識別情報のみをフィードバックする、または、
上記各協調セルの選択された送信ポートの識別情報と、上記選択された送信ポートのチャネル状態情報の一部とを、フィードバックする請求項１４に記載のユーザ装置。
【請求項１６】
上記送信ポート選択ユニットは、上記サービングセルの全ての送信ポートを選択し、
上記情報フィードバックユニットは、第１のフィードバック周期で、上記各非サービングセルの選択された送信ポートの識別情報をフィードバックし、第２のフィードバック周期で、上記サービングセルの全ての選択された送信ポートのチャネル状態情報と、上記各非サービングセルの選択された送信ポートのチャネル状態情報とをフィードバックする請求項１２に記載のユーザ装置。
【請求項１７】
選択された送信ポートに関する情報は、上記サービングセルの全ての送信ポートが選択されたことを示し、
上記情報フィードバックユニットは、第１のフィードバック周期で、上記各非サービングセルの選択された送信ポートの識別情報をフィードバックし、第２のフィードバック周期で、上記サービングセルの全ての送信ポートのチャネル状態情報と、上記各非サービングセルの選択された送信ポートのチャネル状態情報とをフィードバックする請求項１３に記載のユーザ装置。
【請求項１８】
上記各非サービングセルの選択された送信ポートの識別情報のフィードバックと、上記選択された送信ポートのチャネル状態情報のフィードバックとが、同じ送信時間間隔内で衝突した場合に、上記情報フィードバックユニットは、
同時フィードバックを適用する、または、
上記各非サービングセルの選択された送信ポートの識別情報のみをフィードバックする、または、
上記各非サービングセルの選択された送信ポートの識別情報と、上記選択された送信ポートのチャネル状態情報の一部をフィードバックする、
請求項１６または１７に記載のユーザ装置。
【請求項１９】
上記ユーザ装置が、上記第２のフィードバック周期で、協調セル間のチャネル相互相関情報をフィードバックする請求項１６または１７に記載のユーザ装置。
【請求項２０】
上記各非サービングセルの選択された送信ポートの識別情報のフィードバックが、上記選択された送信ポートのチャネル状態情報のフィードバック、および／または、協調セル間の上記チャネル相互相関情報のフィードバックと、同じ送信時間間隔内で衝突した場合に、上記情報フィードバックユニットは、
同時フィードバックを適用する、または、
上記各非サービングセルの選択された送信ポートの識別情報のみをフィードバックする、または、
上記各非サービングセルの選択された送信ポートの全ての識別情報と、上記選択された送信ポートのチャネル状態情報の一部、および／または、上記協調セル間のチャネル相互相関情報をフィードバックする、
請求項１９に記載のユーザ装置。
【請求項２１】
上記チャネル状態情報は、完全なチャネル状態情報、統計ベースのチャネル状態情報、および、コードブック空間探索ベースのチャネル状態情報のうちの一種類、または、数種類の組み合わせである、請求項１４から２０のいずれか１項に記載のユーザ装置。
【請求項２２】
上記コードブック空間探索ベースのチャネル状態情報は、チャネルランク、プリコーディングマトリクス、および、チャネル品質指標のうちの少なくともひとつを含む、請求項２１に記載のユーザ装置。
【請求項２３】
上記第１のフィードバック周期は、上記第２のフィードバック周期よりも長い、請求項１４から２０のいずれか１項に記載のユーザ装置。
【発明の詳細な説明】
【技術分野】
【０００１】
本発明は、概して通信技術分野に関する。本発明は、より具体的には、マルチ・アンテナ・マルチ・セル協調による情報フィードバック方法、および、当該情報フィードバック方法を実行するユーザ装置に関する。
【背景技術】
【０００２】
マルチ・アンテナ(MIMO:Multiple in Multiple out)無線送信技術では、送信側および受信側において多重アンテナを設け、無線送信において空間リソースを活用することで、空間多重化利得および空間ダイバーシティ利得を得ている。情報理論研究では、送信アンテナ数および受信アンテナ数の最小値に応じて、ＭＩＭＯシステムの許容量が線形的に増加することが示されている。ＭＩＭＯシステムの概略図を図１に示す。図１に示すように、送信側および受信側における多重アンテナが、空間領域情報を含むマルチ・アンテナ無線チャネルを構成する。また、ＯＦＤＭ（Orthogonal Frequency Division Multiplexing）技術は、強力な耐フェージング特性および高い周波数効率を有しており、マルチパスシナリオおよびフェージングシナリオにおける高速データ送信に適している。ＭＩＭＯとＯＦＤＭとを組み合わせた技術であるＭＩＭＯ−ＯＦＤＭ技術は、新世代移動体通信の中核技術となっている。
【０００３】
例えば、３ＧＰＰ（the 3rd Generation Partnership Project）という団体は、移動体通信分野における国際的な団体であり、３Ｇセルラー通信技術の標準化作業において重要な役割を担っている。３ＧＰＰは、ＬＴＥ（Long Term Evolution）プロジェクトとも呼ばれるＥＵＴＲＡ（Evolved Universal Mobile Telecommunications System Terrestrial Radio Access）およびＥＵＴＲＡＮ（Evolved Universal Mobile Telecommunications System Terrestrial Radio Access Network）の設計を２００４年の後半から開始している。ＬＴＥシステムのダウンリンクでは、ＭＩＭＯ−ＯＦＤＭ技術が採用されている。２００８年４月、中国深セン（土へんに川；Shenzhen）における３ＧＰＰ会合から、４Ｇセルラー通信システム（現在では、ＬＴＥ−Ａシステムと呼ばれる）の標準化作業が議論され始めた。上記会合では、“マルチ・アンテナ・マルチ・セル協調（mulit-antenna-multi-cell cooperation）”の概念が、広く検討され、サポートされた。“マルチ・アンテナ・マルチ・セル協調”の基本原理は、セル境界のユーザのデータ送信レートを改善するために、複数の基地局が同時に、一人のユーザ、または、複数のユーザに対して、通信サービスを供給することにある。
【０００４】
一般的に言えば、ダウンリンクのマルチ・アンテナ・マルチ・セル協調システムでは、ユーザ装置（ＵＥ、user equipment）は、基地局にチャネル状態情報（ＣＳＩ；Channel State Information）をフィードバックする必要があり、これにより、基地局は、対応する無線リソースの管理等の処理を行うことができる。従来の技術文献では、３種類のチャネル状態情報のフィードバック方法が開示されている。
【０００５】
完全なチャネル状態情報のフィードバック（Perfect channel state information feedback）：ユーザ装置は、受信側のチャネルマトリクスの全ての要素を量子化し、当該要素をひとつずつ基地局にフィードバックする、もしくは、ユーザ装置は、ある瞬間の送受信側のチャネルマトリクスの共分散マトリクスを取得し、当該共分散マトリクスの全ての要素を量子化し、当該要素をひとつずつ基地局にフィードバックする。このように、基地局は、ユーザ装置からフィードバックされる量子化されたチャネルに基づいて、比較的正確にチャネルの再構築を行うことができる（非特許文献１：３ＧＰＰ Ｒ１−０９３７２０、“CoMP email summary”、Qualcommを参照）。図２に、この方法の概略的な実行方法を示す。
【０００６】
統計ベースのチャネル状態情報のフィードバック（Statistics based channel state information feedback）：ユーザ装置は、送受信側のチャネルマトリクスに対する処理で、統計量を導出する。例えば、チャネルマトリクスの共分散マトリクスを計算する。そして、ユーザ装置は、当該統計情報を量子化して基地局にフィードバックする。基地局は、ユーザ装置からのフィードバックに応じて、統計的なチャネル状態情報を取得する（非特許文献１：３ＧＰＰ Ｒ１−０９３７２０、“CoMP email summary”、Qualcommを参照）。図３に、この方法の概略的な実行方法を示す。
【０００７】
コード空間探索ベースのチャネル状態情報フィードバック（Code space search based channel state information feedback）：ユーザ装置および基地局は、チャネル状態情報の有限集合（すなわち、コードブック空間。共用されるコードブック空間は、チャネルランク、および／または、プリコーディングマトリクス、および／または、チャネル品質指標（channel quality indicator）等を含む）を予め定義する。送受信側のチャネルマトリクスを検出すると、ユーザ装置は、コードブック空間において現行のチャネルマトリクスに合致する最善のチャネル状態情報の要素を探索し、当該要素のインデックスを基地局にフィードバックする。基地局は、当該インデックスに従って予め定義されたコードブック空間に照会を行い、おおまかなチャネル状態情報を取得する（非特許文献２：３ＧＰＰ  Ｒ１−０８３５４６、“Per-cell precoding methods for downlink joint processing CoMP”、ＥＴＲＩを参照）。図４に、この方法の概略的な実行方法を示す。
【０００８】
これら３つの方法のなかでは、完全なチャネル状態情報フィードバック法（perfect channel state information feedback method）が、最も高いフィードバック効果を有しているが、最もフィードバックのオーバーヘッドが大きく、実際のシステムにおいて実装することは困難である。特に、マルチ・アンテナ・マルチ・セル協調システムにおいて、そのフィードバックのオーバーヘッドは、基地局の数の増加にともなって数倍となるため、いっそう実装の困難性が高まる。コード空間探索ベースのチャネル状態情報フィードバック法（Code space search based channel state information feedback method）は、フィードバックのオーバーヘッドが最も小さいが、効果が低い。その理由は、この方法はチャネル状態を正確には表すことができないため、送信側が適切な送信のためにチャネル特性を十分に活用することができないからである。しかしながら、この方法は、実装が簡易であり、フィードバックを数ビットで得ることができるため、実際のシステムでは広く採用されている。これらに比べて、統計ベースのチャネル状態情報フィードバック法（Statistics based channel state information feedback method）は、上述した２つの方法の間の良好なトレードオフを得られる。この方法は、チャネル状態が明白な統計情報を有しているとき、少ないフィードバックで、正確なチャネル状態を表すことができ、これにより望ましい効果を得ることができる。
【０００９】
ダウンリンクのマルチ・アンテナ・マルチ・セル協調システムでは、チャネル状態情報フィードバック法は、しばしば、詳細な協調手法と組み合わせられる。いくつかの技術文献において、ダウンリンクのマルチ・アンテナ・マルチ・セル協調のための５つの協調手法が開示されている。
【００１０】
（１）仮想ＭＩＭＯ技術ベースの手法
多重アンテナを有するマルチセルは、空間多重化および空間ダイバーシティの大きな利得を得るための、複数の仮想的なアンテナを有する単一セルＭＩＭＯシステムとみなせる。さらに、単一セルＭＩＭＯシステムの機構を繰り返し利用することは、マルチ・アンテナ・マルチ・セルの実装における複雑性を低減するのに役立つ。この手法では、上述した３種類のチャネル状態情報フィードバック法の任意の１つを、チャネル状態情報のフィードバックのために採用することができる（非特許文献３：３ＧＰＰ、Ｒ１−０８２５０１、“Collaborative MIMO for LTE-A downlink”、Alcatel-Lucentを参照）。図５に、この手法の実行方法を概略的に示している。
【００１１】
（２）単一セル独立動作ベースの手法
複数のアンテナを有する単一セル（基地局）が、独立してユーザ装置に対してサービスを提供し、ユーザ装置が、複数の単一セルからのデータを足し合わせることで、高い空間多重化および空間ダイバーシティ利得を得る。この手法は、実装が容易であり、シグナリングのオーバーヘッドが小さい。この手法では、上述した３種類のチャネル状態情報フィードバック法の任意の１つを、チャネル状態情報のフィードバックにおいて採用することができる（非特許文献４：３ＧＰＰ、Ｒ１−０８２４９７、“Network MIMO Precoding”、Texas Instrumentsを参照）。図６に、この手法の実行方法を概略的に示している。
【００１２】
（３）マルチセルのチャネルを単純に結合する手法
ユーザ装置から見れば、協調セルからユーザ装置へのチャネルマトリクスは、仮想的なチャネルを構成するために、直接的に追加され結合されてもよい。ここでは、単一セルＭＩＭＯ技術を、機械的に適用することができる。この手法では、上述した３種類のチャネル状態情報フィードバック法の任意の１つを、チャネル状態情報のフィードバックにおいて採用することができる（（非特許文献２：３ＧＰＰ  Ｒ１−０８３５４６、“Per-cell precoding methods for downlink joint processing CoMP”、ＥＴＲＩを参照）。図７に、この手法の実行方法を概略的に示している。
【００１３】
（４）アンテナ選択の組み合わせにおいて、マルチセルのチャネルを単純に結合する手法
手法（３）に基づいて、この手法では、まず協調セルのためのアンテナ選択を実行し、仮想的なチャネルを構成するために、アンテナ選択の対象となった協調セルからユーザ装置へチャネルマトリクスを直接的に追加および結合する。ここでは、単一セルＭＩＭＯ技術を、機械的に適用することができる。この手法では、アンテナ選択情報が含まれるため、完全なチャネル状態情報のフィードバックオーバーヘッドを部分的に低減することができる。すなわち、ユーザ装置は、選択されたアンテナの完全なチャネル状態情報のみをフィードバックする。さらに、この手法は、上述した統計ベースのチャネル状態情報フィードバック法またはコードブック空間探索ベースのチャネル状態情報フィードバック法を組み合わせることも可能である（非特許文献５：３ＧＰＰ、Ｒ１−０９２１０２、“MBSFN Precoding with Antenna Selection for DL CoMP”、SHARPを参照）。図８に、この手法の実行方法を概略的に示している。
【００１４】
（５）送信ポート選択と組み合わせたマルチセルチャネル再構築手法
ユーザ装置、および／または、セルが、仮想的なチャネルを構成するために、半静的に、または、動的に、セル協調送信のためのポートを選択する。その時、単一セルＭＩＭＯ技術を、機械的に適用することができる。この手法では、アンテナ選択情報が含まれるため、完全なチャネル状態情報のフィードバックオーバーヘッドを部分的に低減することができる。すなわち、ユーザ装置は、選択されたアンテナの完全なチャネル状態情報のみをフィードバックする。さらに、この手法は、上述した統計ベースのチャネル状態情報フィードバック法またはコードブック空間探索ベースのチャネル状態情報フィードバック法を組み合わせることも可能である（中国特許出願Ｎｏ．２００９１０１６２５１９．９（代理人文書番号  IA094046A）、“a downlink multi-antenna-multi-cell cooperative method, base station and user equipment”、SHARP）。図９に、この手法の実行方法を概略的に示している。
【００１５】
手法（５）における送信ポートは、手法（４）におけるアンテナの概念を包含する広い概念である。従って、“送信ポート選択”の用語が、以下の記述において採用される。
【先行技術文献】
【特許文献】
【００１６】
【特許文献１】中国特許出願「Ｎｏ．２００９１０１６２５１９．９」、“a downlink multi-antenna-multi-cell cooperative method, base station and user equipment”、SHARP（２０１１年３月２３日公開）
【非特許文献】
【００１７】
【非特許文献１】３ＧＰＰ、Ｒ１−０９３７２０、“CoMP email summary”、Qualcomm（２００９年８月２４日公開）
【非特許文献２】３ＧＰＰ、Ｒ１−０８３５４６、“Per-cell precoding methods for downlink joint processing CoMP”、ＥＴＲＩ（２００８年９月２９日公開）
【非特許文献３】３ＧＰＰ、Ｒ１−０８２５０１、“Collaborative MIMO for LTE-A downlink”、Alcatel-Lucent（２００８年６月３０日公開）
【非特許文献４】３ＧＰＰ、Ｒ１−０８２４９７、“Network MIMO Precoding”、Texas Instruments（２００８年６月３０日公開）
【非特許文献５】３ＧＰＰ、Ｒ１−０９２１０２、“MBSFN Precoding with Antenna Selection for DL CoMP”、SHARP（２００９年５月４日公開）
【非特許文献６】３ＧＰＰ、Ｒ１−０９２４２７、“CSI-RS Design for Virtualized LTE Antenna in LTE-A System”、Fujitsu（２００９年６月２９日公開）
【非特許文献７】3GPP organization、「TS 36.213 V8.3.0, “Evolved Universal Terrestrial Radio Access (E-UTRA); Physical Layer Procedures”」（２００８年５月公開）
【発明の概要】
【発明が解決しようとする課題】
【００１８】
一般的に、仮想ＭＩＭＯ技術ベースの手法（１）は、大局的に最適なＭＩＭＯ設定を考慮しており、パフォーマンスは良いが、複雑度が高い。特に、単一協調セルのアンテナ数が多すぎると、仮想ＭＩＭＯシステムの総アンテナ数は数倍に増えるので、システムオーバーヘッドが動作上の各側面において高くなり過ぎるという事態を引き起こす。単一セル独立動作ベースの手法（２）は、実装の複雑度を低減することができるが、セル協調レベルが低下し、システムパフォーマンスが悪い。単純に協調セルのチャネルを結合する手法（３）は、簡易な実装および低いフィードバックオーバーヘッドという利点があるが、パフォーマンスが悪いという欠点がある。送信ポート選択を活用する手法（４）および（５）は、より良いシステムパフォーマンスを得ることができるが、送信ポートインデックスをフィードバックすることは、依然として大きなオーバーヘッドを要する。さらに言えば、マルチ・アンテナ・マルチ・セル協調システムおよび単一セルシステムのフィードバック法をどのように結合して設計するかが新たな課題となる。
【００１９】
このため、本発明は、上述した手法（４）および（５）に基づいた送信ポート選択を伴うマルチ・アンテナ・マルチ・セルシステムについて、より小さいオーバーヘッドのチャネル状態情報フィードバック法を提供するとともに、マルチセルフィードバックと単一セルフィードバックを結合した設計を検討する。
【課題を解決するための手段】
【００２０】
本発明は、先行技術における大きなフィードバックオーバーヘッドの欠陥を克服して、ダウンリンクのマルチ・アンテナ・マルチ・セル協調フィードバックの方法およびセル（基地局）を提供する。まず、サービング中の基地局が、ユーザ装置をマルチ・アンテナ・マルチ・セル協調モードに設定する。当該設定は、少なくとも、上記サービングセル、および／または、上記ユーザ装置が、協調セルセットを決定することと、送信ポート選択の特徴に応じた協調方法を採用することを含む。そして、上記ユーザ装置は、上記選択された送信ポート情報およびその他のチャネル状態情報をフィードバックする。本発明は、簡易な実装とより少ないシグナリングオーバーヘッドという利点を有している。
【００２１】
本発明の第１の側面に係る情報フィードバック方法は、サービングセル、および／または、ユーザ装置が、マルチ・アンテナ・マルチ・セル協調に参加する、上記サービングセルおよび非サービングセルを含む協調セルセットを決定するステップと、上記ユーザ装置、および／または、上記サービングセルが、上記決定した協調セルセットに従って、上記サービングセルおよび非サービングセルの送信ポートを選択するステップと、上記ユーザ装置が、上記選択した送信ポートのチャネル状態情報を取得するステップと、上記ユーザ装置が、上記選択した送信ポートの識別情報および上記チャネル状態情報をフィードバックするステップと、を含む方法である。
【００２２】
上記情報フィードバック方法では、さらに、上記サービングセルが、上記ユーザ装置からのフィードバック情報に従って上記ユーザ装置に対するリソースを割り当てるステップと、上記サービングセル、および、協調セルが、それぞれ上記サービングセル、および、協調セル自身の選択された送信ポートを用いて、データ信号を協調して上記ユーザ装置に送信するステップと、を含むことが好ましい。
【００２３】
上記ユーザ装置は、第１のフィードバック周期で、上記各協調セルの選択された送信ポートの識別情報をフィードバックし、
第２のフィードバック周期で、上記選択された送信ポートの上記チャネル状態情報をフィードバックすることが好ましい。上記各協調セルの選択された送信ポートの識別情報のフィードバックと、上記選択された送信ポートのチャネル状態情報のフィードバックとが、同じ送信時間間隔内で衝突した場合は、同時フィードバック（simultaneous feedback）が適用される、または、上記各協調セルの選択された送信ポートの識別情報のみがフィードバックされる、または、上記各協調セルの選択された送信ポートの識別情報と、上記選択された送信ポートのチャネル状態情報の一部とがフィードバックされることがより好ましい。
【００２４】
上記ユーザ装置、および／または、上記サービングセルは、上記サービングセルの全ての送信ポートを選択し、上記ユーザ装置は、第１のフィードバック周期で、上記各非サービングセルの選択された送信ポートの識別情報をフィードバックし、第２のフィードバック周期で、上記サービングセルの全ての選択された送信ポートのチャネル状態情報と、上記各非サービングセルの選択された送信ポートのチャネル状態情報とをフィードバックすることが好ましい。上記各非サービングセルの選択された送信ポートの識別情報のフィードバックと、上記選択された送信ポートのチャネル状態情報のフィードバックとが、同じ送信時間間隔内で衝突した場合には、同時フィードバックが適用される、または、上記各非サービングセルの選択された送信ポートの識別情報のみがフィードバックされる、または、上記各非サービングセルの選択された送信ポートの識別情報と、上記選択された送信ポートのチャネル状態情報の一部とがフィードバックされることがより好ましい。
【００２５】
上記情報フィードバック方法では、さらに、上記ユーザ装置は、上記第２のフィードバック周期で、協調セル間のチャネル相互相関情報をフィードバックすることが好ましい。より好ましくは、上記各非サービングセルの選択された送信ポートの識別情報のフィードバックが、上記選択された送信ポートのチャネル状態情報、および／または、協調セル間の上記チャネル相互相関情報のフィードバックと、同じ送信時間間隔内で衝突した場合には、同時フィードバックが適用される、または、上記各非サービングセルの選択された送信ポートの識別情報のみをフィードバックする、または、上記各非サービングセルの選択された送信ポートの全ての識別情報と、上記選択された送信ポートのチャネル状態情報の一部、および／または、上記協調セル間のチャネル相互相関情報とがフィードバックされる。
【００２６】
本発明の第２の側面に係るユーザ装置は、サービングセルから無線情報を受信し、サービングセルに無線情報を送信する送受信ユニットと、マルチ・アンテナ・マルチ・セル協調に参加する協調セルセットであって、上記サービングセルおよび非サービングセルを含む協調セルセットを決定する協調セルセット決定ユニットと、上記決定された協調セルセットにおいて、上記サービングセルおよび非サービングセルの送信ポートを選択する送信ポート選択ユニットと、上記選択された送信ポートのチャネル状態情報を取得するチャネル状態情報取得ユニットと、上記送受信ユニットを用いて、上記選択された送信ポートの識別情報および上記チャネル状態情報をフィードバックする情報フィードバックユニットと、を備える構成である。
【００２７】
上記協調セルセット決定ユニットは、上記送受信ユニットによって受信された上記無線情報から、上記協調セルセットを、静的に構成された上記協調セルセット、または、半静的に構成された上記協調セルセット、または、上記サービングセルによって選択された上記協調セルセットより直接決定し、上記送信ポート選択ユニットは、上記送受信ユニットによって受信された上記無線情報から、上記送信ポートを、静的に構成された上記送信ポート、または、半静的に構成された上記送信ポート、または、上記サービングセルによって選択された上記送信ポートより直接選択することが好ましい。
【００２８】
上記情報フィードバックユニットは、第１のフィードバック周期で、上記各協調セルの選択された送信ポートの識別情報をフィードバックし、第２のフィードバック周期で、上記選択された送信ポートのチャネル状態情報を、フィードバックすることが好ましい。上記各協調セルの選択された送信ポートの識別情報のフィードバックと、上記選択された送信ポートのチャネル状態情報のフィードバックとが、同じ送信時間間隔内で衝突した場合には、上記情報フィードバックユニットは、同時フィードバックを適用する、または、上記各協調セルの選択された送信ポートの識別情報のみをフィードバックする、または、上記各協調セルの選択された送信ポートの識別情報と、上記選択された送信ポートのチャネル状態情報の一部とを、フィードバックすることがより好ましい。
【００２９】
上記送信ポート選択ユニットは、上記サービングセルの全ての送信ポートまたはサービングセルの全ての送信ポートが選択されることを示す上記選択された送信ポートに関する情報を選択し、上記情報フィードバックユニットは、第１のフィードバック周期で、上記各非サービングセルの選択された送信ポートの識別情報をフィードバックし、第２のフィードバック周期で、上記サービングセルの全ての選択された送信ポートのチャネル状態情報と、上記各非サービングセルの選択された送信ポートのチャネル状態情報とをフィードバックすることが好ましい。上記各非サービングセルの選択された送信ポートの識別情報のフィードバックと、上記選択された送信ポートのチャネル状態情報のフィードバックとが、同じ送信時間間隔内で衝突した場合には、上記情報フィードバックユニットは、同時フィードバックを適用する、または、上記各非サービングセルの選択された送信ポートの識別情報のみをフィードバックする、または、上記各非サービングセルの選択された送信ポートの識別情報と、上記選択された送信ポートのチャネル状態情報の一部をフィードバックすることがより好ましい。
【００３０】
上記ユーザ装置は、上記第２のフィードバック周期で、協調セル間のチャネル相互相関情報をフィードバックすることが好ましい。より好ましくは、上記各非サービングセルの選択された送信ポートの識別情報のフィードバックが、上記選択された送信ポートのチャネル状態情報のフィードバック、および／または、協調セル間の上記チャネル相互相関のフィードバックと、同じ送信時間間隔内で衝突した場合には、上記フィードバックユニットは、同時フィードバックを適用する、または、上記各非サービングセルの選択された送信ポートの識別情報のみをフィードバックする、または、上記各非サービングセルの選択された送信ポートの全ての識別情報と、上記選択された送信ポートのチャネル状態情報の一部、および／または、上記協調セル間のチャネル相互相関情報をフィードバックする。
【００３１】
上記チャネル状態情報は、完全なチャネル状態情報、統計ベースのチャネル状態情報、および、コードブック空間探索ベースのチャネル状態情報のうちの一種類、または、数種類の組み合わせである。上記コードブック空間探索ベースのチャネル状態情報は、チャネルランク、プリコーディングマトリクス、および、チャネル品質指標のうちの少なくともひとつを含む。
【００３２】
また、上記第１のフィードバック周期は、上記第２のフィードバック周期よりも長くてもかまわない。
【００３３】
本発明に係る実施形態によれば、上記情報フィードバック方法は、以下のステップを含む。
【００３４】
ステップ１：上記サービングセル、および／または、上記ユーザ装置が、マルチ・アンテナ・マルチ・セル協調に参加する協調セルセット（上記サービングセルおよび非サービングセルを含む）を決定する。
【００３５】
ステップ２：上記ユーザ装置、および／または、上記サービングセルが、上記決定した協調セルセットに従って、協調セルの送信ポートを選択する。
【００３６】
上記マルチ・アンテナ・マルチ・セル協調方法には、上記手法（４）を適用することができる。すなわち、上記協調セルの送信ポートを選択し、アンテナ選択の対象となった協調セルからユーザ装置へのチャネルマトリクスを直接的に追加および結合することで、仮想的なチャネルを構成する。そして、機械的に、単一セルＭＩＭＯ技術を適用する。
【００３７】
上記マルチ・アンテナ・マルチ・セル協調方法には、上記手法（５）を適用することも任意である。すなわち、上記ユーザ装置、および／または、上記基地局が、仮想的なチャネルを構成するために、（半）静的に、または、動的に、セルの協調のための送信ポートを選択し、機械的に、単一セルＭＩＭＯ技術を適用する。
【００３８】
ステップ３：上記ユーザ装置が、上記選択した送信ポートのチャネル状態情報を取得する。
【００３９】
上記ユーザ装置は、協調セルセット（上記サービングセルおよび非サービングセルを含む）のダウンリンク参照信号に従って、上記協調セルの全てのポートから上記ユーザ装置へのダウンリンクチャネルを推定する。そして、上記ユーザ装置は、選択された送信ポートチャネル状態情報を取得するために必要な送信ポートを選択する。
【００４０】
ステップ４：上記ユーザ装置は、識別情報およびその他の上記選択された送信ポートのチャネル状態情報をフィードバックする。上記情報フィードバックには、下記の任意のやり方を適用することができる。
【００４１】
（１）上記ユーザ装置は、比較的長いフィードバック周期で、複数の協調セルの送信ポートインデックスをフィードバックし、比較的短いフィードバック周期で、上記選択された送信ポートのチャネル状態情報をフィードバックする。好ましくは、上記複数の協調セルの送信ポートインデックスのフィードバックと、上記選択された送信ポートのチャネル状態情報のフィードバックとが、同じ送信時間間隔内で衝突した場合には、同時フィードバックを適用することができる。あるいは、上記複数の協調セルの送信ポートインデックスのフィードバックは維持する一方で、上記選択された送信ポートのチャネル状態情報のフィードバックは削除することができる。あるいは、上記複数の協調セルの送信ポートインデックスのフィードバックは維持する一方で、上記選択された送信ポートのチャネル状態情報の一部のみをフィードバックしてもよい。
【００４２】
（２）上記ユーザ装置は、比較的長いフィードバック周期で、非サービングセルの送信ポートインデックスをフィードバックし、比較的短いフィードバック周期で、上記サービングセルのすべての送信ポートのチャネル状態情報と、送信ポートの条件に応じた非サービングセルのチャネル状態情報とをフィードバックする。上記非サービングセルの送信ポートインデックスのフィードバックと、別の情報のフィードバックとが、同じ送信時間間隔内で衝突した場合には、同時フィードバックを適用することができる、あるいは、上記送信ポートの条件に応じた非サービングセルの送信ポートインデックスのフィードバックは維持する一方で、上記サービングセルのチャネル状態情報、および／または、上記送信ポートの条件に応じた非サービングセルのチャネル状態情報は削除することができる、あるいは、上記非サービングセルの送信ポートインデックスのフィードバックは維持する一方で、上記サービングセルのチャネル状態情報の一部のみ、および／または、上記送信ポートの条件に応じた非サービングセルのチャネル状態情報がフィードバックされることが好ましい。
【００４３】
（３）上記ユーザ装置は、比較的長いフィードバック周期で、上記非サービングセルの送信ポートインデックスをフィードバックし、比較的短いフィードバック周期で、上記サービングセルのすべての送信ポートのチャネル状態情報と、上記送信ポートの条件に応じた非サービングセルのチャネル状態情報とをフィードバックする。さらに、上記ユーザ装置は、セル間のチャネル相互相関情報をフィードバックする。上記非サービングセルの送信ポートインデックスのフィードバックと、別のフィードバック形式とが、同じ送信時間間隔内で衝突した場合には、同時フィードバックを適用することができる、あるいは、非サービングセルの送信ポートインデックスのフィードバックは維持する一方で、上記サービングセルのチャネル状態情報、および／または、上記送信ポートの条件に応じた非サービングセルのチャネル状態情報、および／または、上記セル間のチャネル相互相関情報のフィードバックは削除することができる、あるいは、非サービングセルの送信ポートインデックスのフィードバックは維持する一方で、上記サービングセルのチャネル状態情報の一部分のみ、および／または、上記送信ポートの条件に応じた非サービングセルのチャネル状態情報、および／または、上記セル間のチャネル相互相関情報がフィードバックされることが好ましい。
【００４４】
そして、上記サービングセルは、上記ユーザ装置からのフィードバック情報に従って上記ユーザ装置にリソースを割り当て、上記サービングセルおよび協調セルは、上記サービングセル、および、協調セルそれぞれの選択された送信ポートを用いて、データ信号を協調してユーザ装置に送信する。
【００４５】
本発明によれば、選択された送信ポートインデックス（識別情報）および他のチャネル状態情報を、異なるフィードバック周期でフィードバックすることができる。さらに、フィードバックが衝突したとき、上記送信ポートインデックス（識別情報）のほうが、上記他のチャネル状態情報よりも高い優先度を有する。
【００４６】
このため、本発明に係る上記マルチ・アンテナ・マルチ・セル協調情報フィードバック方法および上記ユーザ装置は、簡易な実装およびシグナリングオーバーヘッドの低減の点で有利である。
【発明の効果】
【００４７】
本発明に係る上記マルチ・アンテナ・マルチ・セル協調情報フィードバック方法および上記ユーザ装置は、簡易な実装でシグナリングオーバーヘッドを低減できる。
【図面の簡単な説明】
【００４８】
【図１】ＭＩＭＯシステムを示す概要図である。
【図２】完全なチャネル状態情報のフィードバック法を示す概要図である。
【図３】統計ベースのチャネル状態情報のフィードバック法を示す概要図である。
【図４】コードブック空間探索ベースのチャネル状態情報のフィードバック法を示す概要図である。
【図５】手法（１）を協調的に採用する３つの基地局を示す概要図である。
【図６】手法（２）を協調的に採用する３つの基地局を示す概要図である。
【図７】手法（３）を協調的に採用する３つの基地局を示す概要図である。
【図８】手法（４）を協調的に採用する３つの基地局を示す概要図である。
【図９】手法（５）を協調的に採用する３つの基地局を示す概要図である。
【図１０】マルチセルのセルラー通信システムを示す概要図である。
【図１１】本発明の一実施形態に従うダウンリンクのマルチ・アンテナ・マルチ・セルのための、協調フィードバック方法を示すフローチャートである。
【図１２】実施形態のシナリオ（ａ）におけるユーザ装置の構成を示す概要図である。
【図１３】実施形態のシナリオ（ｂ）におけるユーザ装置の構成を示す概要図である。
【図１４】実施形態のシナリオ（ｃ）におけるユーザ装置の構成を示す概要図である。
【図１５】実施形態のシナリオ（ｄ）におけるユーザ装置の構成を示す概要図である。
【図１６】実施形態のシナリオ（ａ）/（ｃ）におけるユーザ装置のフィードバックを示す概要図である。
【図１７】実施例のシナリオ（b-1）/（d-1）におけるユーザ装置のフィードバックを示す概要図である。
【図１８】実施例のシナリオ（b-2）/（d-2）におけるユーザ装置のフィードバックを示す概要図である。
【図１９】アンテナ結合方法を示す概要図である。
【図２０】本発明の一実施形態に従うユーザ装置２０００を示すブロック図である。
【発明を実施するための形態】
【００４９】
本発明の上述その他の目的、特徴、および長所は、以下の発明の詳細な説明を、添付の図面と併せて考慮すると、より容易に理解できるであろう。
【００５０】
望ましい実施形態は、添付の図面を参照することによって説明されるであろう。理解の混乱を避けるために、本発明にとって必須ではない部分と機能とは簡略化のため省略する。
【００５１】
本発明の実施手順を明らかにするため、本発明に従うダウンリンクのＬＴＥセルラー通信システムに適用可能な実施形態が、以下の説明にて提示される。なお、本発明は以下の説明に限定されるものではなく、近い将来におけるＬＴＥ-Ａシステムのような他の通信システムにも適用可能である。
【００５２】
図１０は、マルチセル（multi-cell）の通信システムを示す概要図である。セルラーシステムは、サービスカバー領域（service-covered area）を、共同の（conjoint）無線カバー領域、すなわちセルに分割する。図１０において、セルは正六角形として概略的に示され、サービス領域全体はセル１００〜１０４によって結合されている。セル１００〜１０４は、それぞれ基地局２００〜２０４と関連付けられている。基地局２００〜２０４のそれぞれは、当該分野において広く知られているような、送信機と受信機とを少なくとも含む。なお、基地局は基本的にセルにおけるサービングノード（serving node）であるが、リソースのスケジューリング機能を有する独立基地局や、独立基地局に依存する送信ノードや、（通常、セルのカバー範囲をさらに拡大するために設置される）中継ノードであってもよい。図１０において、基地局２００〜２０４は、セル１００〜１０４の中の特定領域に位置しているものとして概略的に示され、無指向性アンテナを備える構成となっている。しかし、セルラー通信システムのセル配置において、基地局２００〜２０４は、セル１００〜１０４の一部領域を指向的にカバーする指向性アンテナを備える構成でもよい。通常、このような一部領域はセクターと呼ばれる。従って、図１０に示されるマルチセル通信システムの例は、例示という目的に過ぎず、セルラーシステムにおける本発明の実施が上述の限定された特定の条件を必要とすることを意味するものではない。
【００５３】
図１０において、基地局２００〜２０４は、Ｘ２インタフェース３００〜３０４を介して互いに接続されている。ＬＴＥシステムにおいては、基地局と無線ネットワーク制御ユニットと中核ネットワークとから成る３層のノードネットワーク構造が２層のノード構造へと単純化される。無線ネットワーク制御ユニットの機能は基地局に割り当てられ、基地局は有線インタフェース“Ｘ２”を介して協調し通信する。
【００５４】
図１０において、基地局２００〜２０４の間には、接続されたエアーインタフェース（connected air interfaces）である“Ａ１インタフェース”３１０〜３１４が存在している。将来の通信システムにおいては、中継ノードという概念が導入されるかもしれない。該中継ノードは無線インタフェースを介して接続されている。上記基地局は特別な中継ノードと見なされてもよく、従って、基地局間には協調と通信のために無線インタフェース“Ａ１”が存在していてもよい。
【００５５】
さらに、図１０には、基地局２００〜２０４の上位層エンティティ２２０（または、ゲートウェイやＭＭＥ（mobile management entity）といった他のネットワークエンティティ）が示されている。上記上位層エンティティ２２０は、Ｓ１インタフェース３２０〜３２４を介して、基地局２００〜２０４と接続されている。ＬＴＥシステムにおいては、上位層エンティティと基地局とは、両者の間の有線インタフェース“Ｓ１”を介して協調し通信する。
【００５６】
図１０において、幾つかのユーザ装置４００〜４３０は、セル１００〜１０４に分散している。当業者によって知られているように、ユーザ装置４００〜４３０のそれぞれは、送信機、受信機、そして移動端末制御ユニット（A mobile terminal control unit）を含む。該ユーザ装置４００〜４３０のそれぞれは、該ユーザ装置に対し個別にサービスを提供するサービング基地局（サービングセル、基地局２００〜２０４の内の１つ）を介して、セルラー通信システムにアクセスする。なお、図１０は１６台のユーザ装置を概略的に示しているが、実際の環境下では、ユーザ装置の台数は非常に多い。図１０におけるユーザ装置の例は、描画の目的に過ぎない。ユーザ装置４００〜４３０のそれぞれは、該ユーザ装置に対し個別にサービスを提供するサービング基地局（A serving base station）２００〜２０４を介して、セルラー通信システムにアクセスする。ユーザ装置に直接サービスを提供する基地局は、当該ユーザ装置のサービング基地局（サービングセル）と呼ばれ、その他の基地局は、当該ユーザ装置の非サービング基地局（非サービングセル）と呼ばれる。非サービング基地局は、サービング基地局の協調基地局であり、サービング基地局と共にユーザ装置に対して通信サービスを提供することができる。
【００５７】
本実施形態において、ユーザ装置４１６は２つの受信アンテナを備える構成であり、マルチ・アンテナ・マルチ・セルの協調モードで動作しており、サービング基地局は基地局２０２であり、協調基地局は基地局２００および２０４であると仮定されている。なお、本実施形態はユーザ装置４１６を対象としているが、本発明が１つのユーザ装置にのみ適用可能であるということを意味するものではない。実際には、本発明は複数のユーザ装置のシナリオに適用可能である。例えば、図１０中のユーザ装置４０８、４１０、４３０等は、本発明の方法を採用してもよい。実施シナリオにおいては１つのサービング基地局と２つの協調基地局が存在しているが、本発明はそのような限られた条件に限定されるものではない。実際、サービング基地局と協調基地局との台数について特定の限定は存在しない。
【００５８】
本書面の様々な実施形態では、ＬＴＥシステムの詳細な構成は３ＧＰＰ団体の文献「TS 36.213 V8.3.0, “Evolved Universal Terrestrial Radio Access (E-UTRA); Physical Layer Procedures」を参照すればよい。本文献はダウンリンクデータのための７つのＭＩＭＯ送信法を定義している。
【００５９】
（１）単一アンテナ送信法（single antenna transmission scheme）:この手法は、単一のアンテナを利用して信号を送信するものであり、ＭＩＭＯシステムの特殊な例である。この手法は単一層データの送信のみが可能である。
【００６０】
（２）送信ダイバーシティ法（transmit diversity scheme）:ＭＩＭＯシステムにおいて、信号の受信品質を向上するために、時間および／または周波数のダイバーシティ効果を利用して信号を送信する。この手法は単一層データの送信のみが可能である。
【００６１】
（３）開ループ空間多重化法（open-loop spatial multiplexing scheme）:ユーザ装置は、空間領域のプリコーディング情報（space-domain precoding information）を空間多重化したものをフィードバックする必要がない。
【００６２】
（４）閉ループ空間多重化法（closed-loop spatial multiplexing scheme）:ユーザ装置は、チャネル局情報を空間多重化したものをフィードバックする必要がある。
【００６３】
（５）マルチユーザＭＩＭＯ:複数のユーザがＭＩＭＯシステムのダウンリンク通信を同じ周波数で同時に実行する。
【００６４】
（６）閉ループ単一層プリコーディング（close-loop single-layer precoding）:この手法は、ＭＩＭＯシステムとプリコーディング技術とを用いることによって、単一層データのみを送信する。
【００６５】
（７）ビーム形成送信（beamforming transmission）:この手法は、ＭＩＭＯシステムとビーム形成技術とを採用し、ユーザ装置のデータ復調のための専用の参照信号を用いて構成される。
【００６６】
なお、本発明において、ユーザ装置のサービングセル(サービング基地局)と協調セル（協調基地局）とが送信ダイバーシティという送信手法を採用する場合、上記送信ダイバーシティは、時間ダイバーシティ、周波数ダイバーシティ、空間ダイバーシティ、位相遅延ダイバーシティ等の様々なダイバーシティ技術の組合せまたは拡張であってもよい。上記ダイバーシティ処理は、集中化処理または分散化処理であってもよい。なお、ＬＴＥシステムによって定義されたダウンリンクデータ送信手法の採用は本発明を説明するための一例にすぎず、本発明がその実施手順において上記の限定的な条件を必要とすることを意味するものではない。
【００６７】
本実施形態の説明のために、以下のマルチ・アンテナ・マルチ・セル協調シナリオが採用される。
【００６８】
実施形態のシナリオ：ユーザ装置４１６は４つの受信アンテナを備える構成であり、ダウンリンクのマルチ・アンテナ・マルチ・セルの協調モードで動作する。ユーザ装置４１６のサービングセル（サービング基地局）は基地局２０２であり、協調セル（基地局）は基地局２００および２０４である。マルチ・アンテナ・マルチ・セル協調送信において、基地局２００、２０２および２０４の全てが４つの送信ポートを使用する。
【００６９】
なお、上述の一貫した送信ポート構成の詳細な数値は、本発明の説明のための一例として使用されているが、本発明はこれら数値に限定されるものではなく、他の任意の送信ポート構成のシナリオに適用可能である。また、当該分野の専門家であれば、本発明の実施形態を読解することによって、本発明によって提案される手法が、通常の状況における任意の送信ポート構成のシナリオに適用可能であるということが、理解されるであろう。
【００７０】
図１１は、本発明の実施形態に従うマルチ・アンテナ・マルチ・セル協調フィードバックの方法を示すフローチャートである。
【００７１】
図１１に示されるように、本発明に従う上記方法は以下のステップを含む。
【００７２】
ステップ５００：サービングセルおよび／またはユーザ装置が、マルチ・アンテナ・マルチ・セル協調に参加する協調セルセット（サービングセルと非サービングセルとを含む）を決定する。
【００７３】
ステップ５０３：ユーザ装置および／またはサービングセルが、決定された協調セルセットに従い、協調セルの１つまたは複数の送信ポートを選択する。
【００７４】
マルチ・アンテナ・マルチ・セル協調方法は、上述の手法（４）を採用できることが望ましい。すなわち、上記協調セルの送信ポートを選択し、アンテナ選択を条件として、協調セルからユーザ装置にチャネルマトリクスを直接追加して結合して仮想チャネルを構成し、その後に、単一セルＭＩＭＯ技術を機械的に適用するという手法を採用できることが望ましい。
【００７５】
マルチ・アンテナ・マルチ・セル協調方法は、上述の手法（５）を採用できることが望ましい。すなわち、ユーザ装置および／またはサービングセルが基地局の協調送信ポートを（半）静的もしくは動的に選択して仮想チャネルを構成し、その後に、単一セルＭＩＭＯ技術を機械的に適用するという手法を採用できることが望ましい。
【００７６】
本実施形態には、４つの適用例が記載されている。
【００７７】
実施形態のシナリオ例（ａ）：ユーザ装置４１６のサービングセルはセル２０２であり、協調セルはセル２００および２０４である。上記システムは、マルチ・アンテナ・マルチ・セル協調通信に上述の手法（４）を採用する。送信ポートの選択後、サービングセル２０２の送信ポート０、２、および３と、協調セル２００の送信ポート０、１、および３と、協調セル２０４の送信ポート０および２とが選択される。その後、これら３つのセルのこれらの送信ポートは、ＭＩＭＯ通信を実行できるように、直接追加され結合されて、仮想チャネルが構成される。図１２は、上記の実施例を概略的に示している。
【００７８】
実施形態のシナリオ例（ｂ）：ユーザ装置４１６のサービングセルはセル２０２であり、協調セルはセル２００および２０４である。システムはマルチ・アンテナ・マルチ・セル協調通信に上述の手法（４）を採用する。送信ポートの選択後、サービングセル２０２の送信ポート０〜３が全て選択され、協調セル２００の送信ポート０および１と、協調セル２０４の送信ポート０および１とが選択される。その後、これら３つのセルのこれらの送信ポートは、ＭＩＭＯ通信を実行できるように、直接追加され結合されて、仮想チャネルが構成される。図１３は、上記の実施例を概略的に示している。
【００７９】
実施形態のシナリオ例（ｃ）：ユーザ装置４１６のサービングセルはセル２０２であり、協調セルはセル２００および２０４である。システムはマルチ・アンテナ・マルチ・セル協調通信に上述の手法（５）を採用する。送信ポートの選択後、サービングセル２０２の送信ポート０、２、および３と、協調セル２００の送信ポート０、１、および３と、協調セル２０４の送信ポート０および２とが選択される。その後、これら８つの送信ポートは、ＭＩＭＯ通信を実行できるように、仮想ＭＩＭＯ送信システムを形成する。図１４は、上記の実施例を概略的に示している。
【００８０】
実施形態のシナリオ例（ｄ）：ユーザ装置４１６のサービングセルはセル２０２であり、協調セルはセル２００および２０４である。システムはマルチ・アンテナ・マルチ・セル協調通信に上述の手法（５）を採用する。送信ポートの選択後、サービングセル２０２の送信ポート０〜３が全て選択され、協調セル２００の送信ポート０および１と、協調セル２０４の送信ポート０および１とが選択される。その後、これら８つの送信ポートは、ＭＩＭＯ通信を実行できるように、仮想ＭＩＭＯ送信システムを形成する。図１５は、上記の実施例を概略的に示している。
【００８１】
なお、上述の例は、サービングセルが如何にして本件発明に従ってユーザ装置を構成するかを例示するために用いられているに過ぎず、本件発明に従うサービングセルの構成情報は上記された例に限定されるものではない。
【００８２】
ステップ５０６：ユーザ装置は選択された送信ポートのチャネル状態情報を取得する。
【００８３】
上記ユーザ装置は、ユーザ装置にとっての協調セルセットの全ポートからのダウンリンクチャネルを、協調セルセット（サービングセルと非サービングセルとを含む）のダウンリンク参照信号に従って推定し、そしてその後、必要な送信ポートを選択し、選択された送信ポートのチャネル状態情報を取得する。
【００８４】
ステップ５０９：上記ユーザ装置は、選択された送信ポートの識別情報（インデックス）と、他のチャネル状態情報とをフィードバックする。
【００８５】
上記ユーザ装置は、複数の協調セルの送信ポートインデックスを比較的長いフィードバック周期でフィードバックし、選択された送信ポートのチャネル状態情報を比較的短い周期でフィードバックすることが望ましい。上記チャネル状態情報は、下記３種類の形式の内のいずれか１つ、または、それらのいくつかの組合せでありうる。それは、完全なチャネル状態情報と、統計ベースのチャネル状態情報と、コードブック空間探索ベースのチャネル状態情報（これはチャネルランクおよび／またはプリコーディングマトリクスおよび／またはチャネル品質指標等を含んでもよい）とである。
【００８６】
複数のサービングセルの送信ポートインデックスのフィードバックと、選択された送信ポートのチャネル状態情報のフィードバックとが、同じ送信時間間隔内で衝突した場合、同時フィードバックを採用できることが望ましい。もしくは、選択された送信ポートのチャネル状態情報のフィードバックを削除することはできるが、複数のサービングセルの送信ポートインデックスのフィードバックは維持されることが望ましい。もしくは、選択された送信ポートのチャネル状態情報の一部分のみがフィードバックされる一方で、複数の協調セルの送信ポートインデックスのフィードバックは維持されることが望ましい。
【００８７】
或いは、ユーザ装置は、非サービングセルの送信ポートインデックスを比較的長いフィードバック周期でフィードバックし、サービングセルの全送信ポートのチャネル状態情報と非サービングセルの選択された送信ポートのチャネル状態情報とを比較的短い周期でフィードバックする。チャネル状態情報は、下記３種類の形式の内のいずれか１つ、または、それらのいくつかの組合せでありうる。それは、完全なチャネル状態情報と、統計ベースのチャネル状態情報と、コードブック空間探索ベースのチャネル状態情報（これはチャネルランクおよび／またはプリコーディングマトリクスおよび／またはチャネル品質指標等を含んでもよい）とである。
【００８８】
非サービングセルの送信ポートインデックスのフィードバックと他の情報のフィードバックとが同じ送信時間間隔（the same transmission time interval）内で衝突した場合、同時フィードバックを採用できることが望ましい。もしくは、サービングセルのチャネル状態情報および／または送信ポートの条件に応じた非サービングセルのチャネル状態情報を削除することができるが、非サービングセルの送信ポートインデックスのフィードバックは維持されることが望ましい。もしくは、サービングセルのチャネル状態情報の一部のみ、および／または送信ポートの条件に応じた非サービングセルのチャネル状態情報がフィードバックされる一方、非サービングセルの送信ポートインデックスのフィードバックは維持されることが望ましい。
【００８９】
或いは、ユーザ装置は、非サービングセルの送信ポートインデックスを比較的長いフィードバック周期でフィードバックし、サービングセルの全送信ポートのチャネル状態情報と送信ポートの条件に応じた非サービングセルのチャネル状態情報とを比較的短い周期でフィードバックする。チャネル状態情報は、下記３種類の形式の内のいずれか１つ、または、それらのいくつかの組合せでありうる。それは、完全なチャネル状態情報と、統計ベースのチャネル状態情報と、コードブック空間探索ベースのチャネル状態情報（これはチャネルランクおよび／またはプリコーディングマトリクスおよび／またはチャネル品質指標等を含んでもよい）とである。さらに、ユーザ装置はセル間のチャネル相互相関情報をフィードバックする。
【００９０】
非サービングセルの送信ポートインデックスのフィードバックと他の情報のフィードバックとが同じ送信時間間隔内で衝突した場合、同時フィードバックを採用できることが望ましい。もしくは、サービングセルのチャネル状態情報および／または送信ポートの条件に応じた非サービングセルのチャネル状態情報および／またはセル間のチャネル相互相関情報を削除することができるが、非サービングセルの送信ポートインデックスのフィードバックは維持されることが望ましい。もしくは、サービングセルのチャネル状態情報の一部のみ、および／または送信ポートの条件に応じた非サービングセルのチャネル状態情報および／またはセル間のチャネル相互相関情報がフィードバックされる一方、非サービングセルの送信ポートインデックスのフィードバックは維持されることが望ましい。
【００９１】
本発明に従えば、選択された送信ポートインデックス（識別情報）と他のチャネル状態情報が、異なるフィードバック周期でフィードバックされうる。さらに、フィードバック同士が衝突した時、送信ポートインデックス（識別情報）は他のチャネル状態情報よりより高い優先順位を持つ。
【００９２】
本実施形態においては、６つの適用例が提示されている。
【００９３】
実施形態のシナリオ例（ａ）：ユーザ装置４１６は、複数の協調セルの送信ポートインデックスを比較的長いフィードバック周期でフィードバックする。該送信ポートインデックスは、サービングセル２０２の送信ポート０、２、および３と、協調セル２００の送信ポート０、１、および３と、協調セル２０４の送信ポート０および２とが選択されることを示すことができる。さらに、ユーザ装置４１６は、選択された送信ポートのチャネル状態情報を比較的短い周期でフィードバックし、そして該チャネル状態情報は、上述の３つのセルの送信ポートを直接追加して結合することによって形成された仮想チャネルのチャネル状態情報である。上記チャネル状態情報は下記の３種類の形式の内のいずれか１つ、または、それらのいくつかの組合せでありうる。すなわち、
完全なチャネル状態情報と、
統計ベースのチャネル状態情報と、
チャネルランクおよび／またはプリコーディングマトリクスおよび／またはチャネル品質指標等を含みうる、コードブック空間探索ベースのチャネル状態情報とである。
【００９４】
図１６は本実施形態の実施例を概略的に示している。図１６に示されるように、ユーザ装置４１６が複数の協調セルの送信ポートインデックスをフィードバックするフィードバック周期は長く、１５個の送信時間間隔を有するものとして例示されている。一方、選択された送信ポートのチャネル状態情報のフィードバック周期は短く、５個の送信時間間隔を有するものとして例示されている。なお、同じ送信時間間隔内で２種類のフィードバックが衝突した場合、同時フィードバックを採用できる。もしくは、選択された送信ポートのチャネル状態情報のフィードバックを削除することができるが、複数の協調セルの送信ポートインデックスのフィードバックは維持される。もしくは、選択された送信ポートのチャネル状態情報の一部分のみをフィードバックする一方、複数の協調セルの送信ポートインデックスのフィードバックは維持される。
【００９５】
実施形態のシナリオ例（ｂ−１）：ユーザ装置４１６は、非サービングセルの送信ポートインデックスを比較的長いフィードバック周期でフィードバックする。該送信ポートインデックスは、協調セル２００の送信ポート０および１と、協調セル２０４の送信ポート０および１とが選択されることを示すことができる。さらに、ユーザ装置４１６は、サービングセル２０２（その送信ポート０〜３の全てを含む）のチャネル状態情報を比較的短い周期でフィードバックする。上記チャネル状態情報は下記の３種類の形式の内のいずれか１つ、または、それらのいくつかの組合せでありうる。すなわち、
完全なチャネル状態情報と、
統計ベースのチャネル状態情報と、
チャネルランクおよび／またはプリコーディングマトリクスおよび／またはチャネル品質指標等を含みうる、コードブック空間探索ベースのチャネル状態情報とである。
【００９６】
さらに、ユーザ装置は、送信ポートの条件に応じた非サービングセル２００および２０４のチャネル状態情報をフィードバックする。上記チャネル状態情報は下記の３種類の形式の内のいずれか１つ、または、それらのいくつかの組合せでありうる。すなわち、
完全なチャネル状態情報と、
統計ベースのチャネル状態情報と、
チャネルランクおよび／またはプリコーディングマトリクスおよび／またはチャネル品質指標等を含みうる、コードブック空間探索ベースのチャネル状態情報とである。
【００９７】
サービングセル２０２は、仮想チャネルのチャネル状態情報を取得することができる。該仮想チャネルは上記ユーザ装置からのフィードバックに従って上述の３つのセルの送信ポートを直接追加し結合することにより形成される。
【００９８】
図１７は、ユーザ装置４１６の情報フィードバックの実施例を概略的に示している。図１７に示されるように、ユーザ装置４１６が非サービングセルの送信ポートインデックスをフィードバックするフィードバック周期は長く、１５個の送信時間間隔を有するものとして例示されている。一方、サービングセル２０２のチャネル状態情報のフィードバック周期と送信ポートの条件に応じた非サービングセル２００および２０４のチャネル状態情報のフィードバック周期とは短く、１０個の送信時間間隔を有するものとして例示されている。
【００９９】
なお、同じ送信時間間隔内で非サービングセルの送信ポートインデックスのフィードバックと他のフィードバックフォーマットとが衝突した場合、同時フィードバックを採用することができる。もしくは、サービングセルのチャネル状態情報および／または送信ポートの条件に応じた非サービングセルのチャネル状態情報のフィードバックを削除することができるが、非サービングセルの送信ポートインデックスのフィードバックは維持される。もしくは、サービングセルのチャネル状態情報の一部分のみ、および／または送信ポートの条件に応じた非サービングセルのチャネル状態情報がフィードバックされる一方、非サービングセルの送信ポートインデックスのフィードバックは維持される。さらに、サービングセルのチャネル状態情報と送信ポートの条件に応じた非サービングセルのチャネル状態情報は、それら二つのフィードバックが同期をとるように設定されている限り、本実施形態においては、結合させ、同時にフィードバックさせることが可能である。
【０１００】
実施形態のシナリオ例（ｂ−２）：ユーザ装置４１６は、非サービングセルの送信ポートインデックスを比較的長いフィードバック周期でフィードバックする。該送信ポートインデックスは、協調セル２００の送信ポート０および１と、協調セル２０４の送信ポート０および１とが選択されることを示すことができる。さらに、ユーザ装置４１６は、サービングセル２０２（その送信ポート０〜３の全てを含む）のチャネル状態情報を比較的短い周期でフィードバックする。上記チャネル状態情報は下記の３種類の形式の内のいずれか１つ、または、それらのいくつかの組合せでありうる。すなわち、
完全なチャネル状態情報と、
統計ベースのチャネル状態情報と、
チャネルランクおよび／またはプリコーディングマトリクスおよび／またはチャネル品質指標等を含みうる、コードブック空間探索ベースのチャネル状態情報とである。
【０１０１】
さらに、ユーザ装置４１６は、送信ポートの条件に応じた非サービングセル２００および２０４のチャネル状態情報をフィードバックする。上記チャネル状態情報は下記の３種類の形式の内のいずれか１つ、または、それらのいくつかの組合せでありうる。すなわち、
完全なチャネル状態情報と、
統計ベースのチャネル状態情報と、
チャネルランクおよび／またはプリコーディングマトリクスおよび／またはチャネル品質指標等を含みうる、コードブック空間探索ベースのチャネル状態情報とである。
【０１０２】
さらに、上記ユーザ装置は、サービングセル２０２と非サービングセル２００および２０４との間の、例えば相互相関係数および相互相関マトリクスのようなチャネル相互相関情報をフィードバックする。
【０１０３】
サービングセル２０２は、仮想チャネルのチャネル状態情報を取得することができる。該仮想チャネルは、上記ユーザ装置からのフィードバックに従って、上述の３つのセルの送信ポートを直接追加して結合することにより形成される。
【０１０４】
図１８は、ユーザ装置４１６の情報フィードバックの実施例を概略的に示している。図１８に示されるように、ユーザ装置４１６が非サービングセルの送信ポートインデックスをフィードバックするフィードバック周期は長く、１５個の送信時間間隔を有するものとして例示されている。一方、サービングセル２０２のチャネル状態情報のフィードバック周期と、送信ポートの条件に応じた非サービングセル２００および２０４のチャネル状態情報のフィードバック周期は短く、１０個の送信時間間隔を有するものとして例示されている。さらに、サービングセル２０２と非サービングセル２００および２０４との間のチャネル相互相関情報のフィードバック周期は、１５個の送信時間間隔を有するものとして例示されている。実際の運用においては、当該分野の専門家であれば、チャネルの変更に従って、対応する設定を行うことができる。なお、図１８は例示に過ぎず、本発明の実施が図１８と対応した数値によって限定されることを意味しない。
【０１０５】
なお、同じ送信時間間隔内で非サービングセルの送信ポートインデックスのフィードバックと他のフィードバックフォーマットとが衝突した場合、同時フィードバックを採用できる。もしくは、サービングセルのチャネル状態情報および／または送信ポートの条件に応じた非サービングセルのチャネル状態情報および／またはセル間のチャネル相互相関情報のフィードバックを削除することができるが、非サービングセルの送信ポートインデックスのフィードバックは維持される。もしくは、サービングセルのチャネル状態情報の一部のみ、および／または送信ポートの条件に応じた非サービングセルのチャネル状態情報および／またはセル間のチャネル相互相関情報はフィードバックされる一方、非サービングセルの送信ポートインデックスのフィードバックが維持される。さらに、サービングセルのチャネル状態情報および／または送信ポートの条件に応じた非サービングセルのチャネル状態情報および／またはセル間のチャネル相互相関情報は、当該情報のフィードバックが同期をとるように設定されている限り、本実施形態において結合して一緒にフィードバックすることが可能である。
【０１０６】
実施形態のシナリオ例（ｃ）：ユーザ装置４１６は、複数の協調セルの送信ポートインデックスを比較的長いフィードバック周期でフィードバックする。該送信ポートインデックスは、サービングセル２０２の送信ポート０、２、および３と、協調セル２００の送信ポート０、１、および３と、協調セル２０４の送信ポート０および２とが選択されることを示すことができる。さらに、ユーザ装置４１６は、選択された送信ポートのチャネル状態情報を比較的短い周期でフィードバックする。該チャネル状態情報はこれら８つの送信ポートによって構成された仮想ＭＩＭＯ送信システムのチャネル状態情報である。上記チャネル状態情報は下記の３種類の形式の内のいずれか１つ、または、それらのいくつかの組合せでありうる。すなわち、
完全なチャネル状態情報と、
統計ベースのチャネル状態情報と、
チャネルランクおよび／またはプリコーディングマトリクスおよび／またはチャネル品質指標等を含みうる、コードブック空間探索ベースのチャネル状態情報とである。
【０１０７】
図１６は本実施形態の実施例を概略的に示している。図１６に示されるように、ユーザ装置４１６が複数の協調セルの送信ポートインデックスをフィードバックするフィードバック周期は長く、１５個の送信時間間隔を有するものとして例示されている。一方、選択された送信ポートのチャネル状態情報のフィードバック周期は、短く、５個の送信時間間隔を有するものとして例示されている。なお、同じ送信時間間隔内で２種類のフィードバックが衝突した場合、同時フィードバックを採用できる。もしくは、選択された送信ポートのチャネル状態情報のフィードバックを削除することができるが、複数の協調セルの送信ポートインデックスのフィードバックは維持される。もしくは、選択された送信ポートのチャネル状態情報の一部分のみがフィードバックされる一方、複数の協調セルの送信ポートインデックスのフィードバックは維持される。
【０１０８】
実施形態のシナリオ例（ｄ−１）：ユーザ装置４１６は、非サービングセルの送信ポートインデックスを比較的長いフィードバック周期でフィードバックする。該送信ポートインデックスは、協調セル２００の送信ポート０および１と、協調セル２０４の送信ポート０および１とが選択されることを示すことができる。さらに、ユーザ装置４１６は、サービングセル２０２（その送信ポート０〜３の全てを含む）のチャネル状態情報を比較的短い周期でフィードバックする。上記チャネル状態情報は下記の３種類の形式の内のいずれか１つ、または、それらのいくつかの組合せでありうる。すなわち、
完全なチャネル状態情報と、
統計ベースのチャネル状態情報と、
チャネルランクおよび／またはプリコーディングマトリクスおよび／またはチャネル品質指標等を含みうる、コードブック空間探索ベースのチャネル状態情報とである。
【０１０９】
さらに、上記ユーザ装置は、送信ポートの条件に応じた非サービングセル２００および２０４のチャネル状態情報をフィードバックする。上記チャネル状態情報は下記の３種類の形式の内のいずれか１つ、または、それらのいくつかの組合せでありうる。すなわち、
完全なチャネル状態情報と、
統計ベースのチャネル状態情報と、
チャネルランクおよび／またはプリコーディングマトリクスおよび／またはチャネル品質指標等を含みうる、コードブック空間探索ベースのチャネル状態情報とである。
【０１１０】
サービングセル２０２は、仮想ＭＩＭＯ送信システムのチャネル状態情報を取得することができ、この仮想ＭＩＭＯ送信システムは８つの送信ポートによって構成され、該８つの送信ポートは、上記ユーザ装置からのフィードバックに従う、サービングセル２０２の送信ポート０〜３、協調セル２００の送信ポート０および１、協調セル２０４の送信ポート０および１である。
【０１１１】
図１７は、ユーザ装置４１６の情報フィードバック実施例を概略的に示している。図１７に示されるように、ユーザ装置４１６が非サービングセルの送信ポートインデックスをフィードバックするフィードバック周期は長く、１５個の送信時間間隔を有するものとして例示されている。一方、サービングセル２０２のチャネル状態情報のフィードバック周期と送信ポートの条件に応じた非サービングセル２００および２０４のチャネル状態情報のフィードバック周期は短く、１０個の送信時間間隔を有するものとして例示されている。
【０１１２】
なお、同じ送信時間間隔内で非サービングセルの送信ポートインデックスのフィードバックと他のフィードバックフォーマットとが衝突した場合、同時フィードバックを採用できる。もしくは、サービングセルのチャネル状態情報および／または送信ポートの条件に応じた非サービングセルのチャネル状態情報を削除することができるが、非サービングセルの送信ポートインデックスのフィードバックは維持される。もしくは、サービングセルのチャネル状態情報の一部のみ、および／または送信ポートの条件に応じた非サービングセルのチャネル状態情報がフィードバックされる一方、非サービングセルの送信ポートインデックスのフィードバックは維持される。さらに、サービングセルのチャネル状態情報と送信ポートの条件に応じた非サービングセルのチャネル状態情報は、それら二つのフィードバックが同期をとるように設定されている限り、本実施形態においては、結合させ、一緒にフィードバックさせることが可能である。
【０１１３】
実施形態のシナリオ例（ｄ−２）：ユーザ装置４１６は、非サービングセルの送信ポートインデックスを比較的長いフィードバック周期でフィードバックする。該送信ポートインデックスは、協調セル２００の送信ポート０および１と、協調セル２０４の送信ポート０および１とが選択されることを示すことができる。さらに、ユーザ装置４１６はサービングセル２０２（その送信ポート０〜３の全てを含む）のチャネル状態情報を比較的短い周期でフィードバックする。上記チャネル状態情報は下記の３種類の形式の内のいずれか１つ、または、それらのいくつかの組合せでありうる。すなわち、
完全なチャネル状態情報と、
統計ベースのチャネル状態情報と、
チャネルランクおよび／またはプリコーディングマトリクスおよび／またはチャネル品質指標等を含みうる、コードブック空間探索ベースのチャネル状態情報とである。
【０１１４】
さらに、上記ユーザ装置は、送信ポートの条件に応じた非サービングセル２００および２０４のチャネル状態情報を比較的短い周期でフィードバックする。上記チャネル状態情報は下記の３種類の形式の内のいずれか１つ、または、それらのいくつかの組合せでありうる。すなわち、
完全なチャネル状態情報と、
統計ベースのチャネル状態情報と、
チャネルランクおよび／またはプリコーディングマトリクスおよび／またはチャネル品質指標等を含みうる、コードブック空間探索ベースのチャネル状態情報とである。
【０１１５】
さらに、上記ユーザ装置４１６は、サービングセル２０２と非サービングセル２００および２０４との間の、例えば相互相関係数および相互相関マトリクスといった、チャネル相互相関情報をフィードバックする。
【０１１６】
サービングセル２０２は、仮想ＭＩＭＯ送信システムのチャネル状態情報を取得することができ、該仮想ＭＩＭＯ送信システムは８つの送信ポートによって構成され、該８つの送信ポートは、上記ユーザ装置からのフィードバックに従う、サービングセル２０２の送信ポート０〜３、協調セル２００の送信ポート０および１、協調セル２０４の送信ポート０および１である。
【０１１７】
図１８は、ユーザ装置４１６の情報フィードバックの実施例を概略的に示している。図１８に示されるように、ユーザ装置４１６が非サービングセルの送信ポートインデックスをフィードバックするフィードバック周期は長く、１５個の送信時間間隔を有するものとして例示されている。一方、サービングセル２０２のチャネル状態情報のフィードバック周期と送信ポートの条件に応じて非サービングセル２００および２０４のチャネル状態情報のフィードバック周期とは短く、１０個の送信時間間隔を有するものとして例示されている。さらに、サービングセル２０２と、非サービングセル２００および２０４との間のチャネル相互相関情報のフィードバック周期は、１５個の送信時間間隔を有するものとして例示されている。実際の運用においては、当該分野の専門家であれば、チャネルの構成変更に従って、対応する設定を行うことができる。なお、図１８は例示に過ぎず、本発明の実施が図１８と対応した数値に限定されることを意味しない。
【０１１８】
なお、同じ送信時間間隔内で非サービングセルの送信ポートインデックスのフィードバックと他のフィードバックフォーマットとが衝突した場合、同時フィードバックを採用できる。もしくは、サービングセルのチャネル状態情報および／または送信ポートの条件に応じた非サービングセルのチャネル状態情報および／またはセル間のチャネル相互相関情報のフィードバックを削除することができるが、非サービングセルの送信ポートインデックスのフィードバックは維持される。もしくは、サービングセルのチャネル状態情報の一部分のみ、および／または送信ポートの条件に応じた非サービングセルのチャネル状態情報および／またはセル間のチャネル相互相関情報をフィードバックする一方、非サービングセルの送信ポートインデックスのフィードバックは維持される。さらに、サービングセルのチャネル状態情報および／または送信ポートの条件に応じた非サービングセルのチャネル状態情報および／またはセル間のチャネル相互相関情報は、当該情報のフィードバックが同期をとるように設定されている限り、本実施形態において結合して一緒にフィードバックすることが可能である。
【０１１９】
なお、本明細書での例は、選択された送信ポートの情報と他のチャネル状態情報とをユーザ装置がフィードバックする実施手続きを説明するために用いられているに過ぎず、上述の例における形式および数値に本発明が限定されることを意味しない。
【０１２０】
さて、上記サービングセルは、上記ユーザ装置のためのリソースを該ユーザ装置からのフィードバック情報に従い割り当てる。サービングセルと協調セルとは、ユーザ装置へのデータ信号を、それぞれに選択された送信ポートを介して、協調して送信する。
【０１２１】
セルの協調送信ポートの総数は、幾つかの実現可能なポート数に限定されることが好ましい。
【０１２２】
システム設計を単純化するため、セルの協調送信ポートの総数は、幾つかの実現可能なポート数に限定される。例えば、実現可能なポート数が４ポート、８ポート、そして１２ポートの３種類の場合である。このように、４ポート、８ポート、および１２ポートのそれぞれのための３つの手法のみが、マルチ・アンテナ・マルチ・セル協調送信中にあらかじめ定義されている必要がある。
【０１２３】
なお、本実施形態はマルチ・アンテナ・マルチ・セルシステムのための協調送信方法を限定するものではない。例えば、ＬＴＥシステムにおける７つのダウンリンクデータ送信モードの内のいずれか１つまたは複数のモードを採用することができる。
【０１２４】
複数のアンテナを単一の送信ポートにマッピングするために送信アンテナ結合方法が採用されることが好ましい。
【０１２５】
なお、セルの総送信電力を不変に維持するためには、セルの選択されなかった送信ポートの電力を、選択された送信ポートの電力へと重ね合わせる必要があるが、このことによりセルアンテナの送信電力の過負荷が起こるおそれがある。その主たる理由は、実際のシステムにおいてアンテナの送信電力は限られた範囲の中でしか変動できず、特定のアンテナに過剰な電力を加えると、例えば信号クリッピングひずみといった問題が発生するからである。
【０１２６】
この問題を解決するために、送信アンテナ結合方法を採用することができ、この方法は、送信の重みづけ（transmission weighting）という手法によりセルの複数のアンテナを結合して、複数のアンテナを単一の送信ポートにマッピングするものである（非特許文献６（3GPP, R1-092427, “CSI-RS Design for Virtualized LTE Antenna in LTE-A System”, Fujitsu）を参照）。図１９は、８つのアンテナ送信機を４つのポート送信機にマッピングする上記方法を示す実施例の概要図である。
【０１２７】
ハードウェアの実施（Hardware implementation）
図２０は、本発明の実施形態に従うユーザ装置２０００を示すブロック図である。
【０１２８】
図２０に示されるように、本発明の実施形態に従うユーザ装置２０００は、サービングセルから無線情報を受信し、サービングセルに無線情報を送信するための送受信ユニット２０１０と、マルチ・アンテナ・マルチ・セル協調に参加する協調セルセット（サービングセルと非サービングセルとから成る）を決定するための協調セルセット決定ユニット２０２０と、決定された協調セルセットの中のサービングセルと非サービングセルとの送信ポートを選択するための送信ポート選択ユニット２０３０と、選択された送信ポートのチャネル状態情報を取得するためのチャネル状態情報取得ユニット２０４０と、選択された送信ポートのインデックスおよびチャネル情報を送受信ユニット２０１０を介してフィードバックするための情報フィードバックユニット２０５０とを含む。
【０１２９】
協調セルセット決定ユニット２０２０は、送受信ユニット２０１０から受信した無線情報から、上記協調セルセットを、静的に構成された協調セルセット、または半静的に構成された協調セルセット、またはサービングセルによって選択された協調セルセットより直接決定する。同様に、送信ポート選択ユニット２０３０は、送受信ユニット２０１０から受信した無線情報から、送信ポートを、静的に構成された送信ポート、または静的に構成された送信ポート、またはサービングセルによって選択された送信ポートより直接選択する。
【０１３０】
情報フィードバックユニット２０５０は、複数の協調セルの送信ポートインデックスを比較的長いフィードバック周期でフィードバックし、選択された送信ポートのチャネル状態情報を比較的短い周期でフィードバックする。上記チャネル状態情報は下記の３種類の形式の内のいずれか１つ、または、それらのいくつかの組合せでありうる。すなわち、完全なチャネル状態情報と、統計ベースのチャネル状態情報と、チャネルランクおよび／またはプリコーディングマトリクスおよび／またはチャネル品質指標等を含みうる、コードブック空間探索ベースのチャネル状態情報とである。複数の協調セルの送信ポートインデックスのフィードバックと、選択された送信ポートのチャネル状態情報のフィードバックとが同じ送信時間間隔内で衝突した場合、情報フィードバックユニット２０５０は、同時フィードバックを採用することができる。もしくは、選択された送信ポートのチャネル状態情報のフィードバックを削除することができるが、複数の協調セルの送信ポートインデックスのフィードバックは維持される。もしくは、選択された送信ポートのチャネル状態情報の一部分のフィードバックを行う一方、複数の協調セルの送信ポートインデックスのフィードバックを維持する。
【０１３１】
或いは、情報フィードバックユニット２０５０は、非サービングセルの送信ポートインデックスを比較的長いフィードバック周期でフィードバックし、選択された送信ポートのチャネル状態情報と送信ポートの条件に応じた非サービングセルのチャネル状態情報とを比較的短い周期でフィードバックする。上記チャネル状態情報は下記の３種類の形式の内のいずれか１つ、または、それらのいくつかの組合せでありうる。すなわち、完全なチャネル状態情報と、統計ベースのチャネル状態情報と、チャネルランクおよび／またはプリコーディングマトリクスおよび／またはチャネル品質指標等を含みうる、コードブック空間探索ベースのチャネル状態情報とである。非サービングセルの送信ポートインデックスのフィードバックと他の情報のフィードバックとが同じ送信時間間隔内で衝突した場合、情報フィードバックユニット２０５０は、同時フィードバックを採用することができる。もしくは、サービングセルのチャネル状態情報および／または送信ポートの条件に応じた非サービングセルのチャネル状態情報を削除することができるが、非サービングセルの送信ポートインデックスのフィードバックは維持する。もしくは、サービングセルのチャネル状態情報の一部分および／または送信ポートの条件に応じた非サービングセルのチャネル状態情報のフィードバックを行う一方、非サービングセルの送信ポートインデックスのフィードバックを維持する。
【０１３２】
情報フィードバックユニット２０５０は、非サービングセルの送信ポートインデックスを比較的長いフィードバック周期でフィードバックする一方、選択された送信ポートのチャネル状態情報と送信ポートの条件に応じた非サービングセルのチャネル状態情報とを比較的短い周期でフィードバックする。上記チャネル状態情報は下記の３種類の形式の内のいずれか１つ、または、それらのいくつかの組合せでありうる。すなわち、完全なチャネル状態情報と、統計ベースのチャネル状態情報と、チャネルランクおよび／またはプリコーディングマトリクスおよび／またはチャネル品質指標等を含みうる、コードブック空間探索ベースのチャネル状態情報とである。さらに、情報フィードバックユニット２０５０はセル間のチャネル相互相関情報をフィードバックする。非サービングセルの送信ポートインデックスのフィードバックと他の情報のフィードバックとが同じ送信時間間隔内で衝突した場合、情報フィードバックユニット２０５０は、同時フィードバックを採用できる。もしくは、サービングセルのチャネル状態情報および／または送信ポートの条件に応じた非サービングセルのチャネル状態情報および／またはセル間のチャネル相互相関情報を削除することができるが、非サービングセルの送信ポートインデックスのフィードバックを維持する。もしくは、サービングセルのチャネル状態情報の一部および／または送信ポートの条件に応じた非サービングセルのチャネル状態情報および／またはセル間のチャネル相互相関情報のフィードバックを行う一方、非サービングセルの送信ポートインデックスのフィードバックを少なくとも維持する。
【０１３３】
なお、上述の説明において、本発明の技術的解決方法は、概要例という手法で説明されているが、本発明は上述のステップとユニットとに限定されるものではない。いくつかの状況において、上記ステップとユニットとは必要に応じて、調整されてもよいし、受け入れられてもよいし、却下されてもよい。従って、幾つかのステップとユニットとは本発明の発明思想の実現に必須ではない。それゆえ、本発明の必須の技術的特徴は、本発明の発明思想の実現のための最低限の要件によって限定されるのみであり、上述の詳細な実施形態によって限定されるものではない。
【０１３４】
本願の特許請求の範囲が上記に例示した明確な構成と構成要素とに限定されるものではないことは理解されるべきである。本明細書に記載されたシステム、方法、および装置における配置、動作、および詳細における種々の変形、変更、および変化は、上記特許請求の範囲から逸脱することなく行われてもよい。
【産業上の利用可能性】
【０１３５】
本発明は、概して通信技術分野において利用可能である。より具体的には、本発明は、マルチ・アンテナ・マルチ・セル協調による情報フィードバック方法、および、当該情報フィードバック方法を実行するユーザ装置において利用可能である。
【図１】
2013506315.tif 000003
【図２】
2013506315.tif 000004
【図３】
2013506315.tif 000005
【図４】
2013506315.tif 000006
【図５】
2013506315.tif 000007
【図６】
2013506315.tif 000008
【図７】
2013506315.tif 000009
【図８】
2013506315.tif 000010
【図９】
2013506315.tif 000011
【図１０】
2013506315.tif 000012
【図１１】
2013506315.tif 000013
【図１２】
2013506315.tif 000014
【図１３】
2013506315.tif 000015
【図１４】
2013506315.tif 000016
【図１５】
2013506315.tif 000017
【図１６】
2013506315.tif 000018
【図１７】
2013506315.tif 000019
【図１８】
2013506315.tif 000020
【図１９】
2013506315.tif 000021
【図２０】
2013506315.tif 000022
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
サービングセル、および／または、ユーザ装置が、マルチ・アンテナ・マルチ・セル協調に参加する協調セルセットであって、上記サービングセルおよび非サービングセルを含む協調セルセットを決定するステップと、
上記ユーザ装置、および／または、上記サービングセルが、上記決定した協調セルセットに従って、上記サービングセルおよび非サービングセルの送信ポートを選択するステップと、
上記ユーザ装置が、上記選択した送信ポートのチャネル状態情報を取得するステップと、
上記ユーザ装置が、上記選択した送信ポートの識別情報および上記チャネル状態情報をフィードバックするステップと、を含む情報フィードバック方法。
【請求項２】
上記サービングセルが、上記ユーザ装置からのフィードバック情報に従って上記ユーザ装置に対するリソースを割り当てるステップと、
上記サービングセル、および、協調セルが、それぞれ上記サービングセル、および、協調セル自身の選択された送信ポートを用いて、データ信号を協調して上記ユーザ装置に送信するステップと、を含む請求項１に記載の情報フィードバック方法。
【請求項３】
上記ユーザ装置は、第１のフィードバック周期で、上記各協調セルの選択された送信ポートの識別情報をフィードバックし、
第２のフィードバック周期で、上記選択された送信ポートのチャネル状態情報をフィードバックする請求項１または２に記載の情報フィードバック方法。
【請求項４】
上記各協調セルの選択された送信ポートの識別情報のフィードバックと、上記選択された送信ポートのチャネル状態情報のフィードバックとが、同じ送信時間間隔内で衝突した場合に、
同時フィードバック（simultaneous feedback）が適用される、または、
上記各協調セルの選択された送信ポートの識別情報のみがフィードバックされる、または、
上記各協調セルの選択された送信ポートの識別情報と、上記選択された送信ポートのチャネル状態情報の一部とがフィードバックされる、
請求項３に記載の情報フィードバック方法。
【請求項５】
上記ユーザ装置、および／または、上記サービングセルは、上記サービングセルの全ての送信ポートを選択し、
上記ユーザ装置は、第１のフィードバック周期で、上記各非サービングセルの選択された送信ポートの識別情報をフィードバックし、
第２のフィードバック周期で、上記サービングセルの全ての選択された送信ポートのチャネル状態情報と、上記各非サービングセルの選択された送信ポートのチャネル状態情報とをフィードバックする請求項１または２に記載の情報フィードバック方法。
【請求項６】
上記各非サービングセルの選択された送信ポートの識別情報のフィードバックと、上記選択された送信ポートのチャネル状態情報のフィードバックとが、同じ送信時間間隔内で衝突した場合に、
同時フィードバックが適用される、または、
上記各非サービングセルの選択された送信ポートの識別情報のみがフィードバックされる、または、
上記各非サービングセルの選択された送信ポートの識別情報と、上記選択された送信ポートのチャネル状態情報の一部とがフィードバックされる、
請求項５に記載の情報フィードバック方法。
【請求項７】
上記ユーザ装置が、上記第２のフィードバック周期で、協調セル間のチャネル相互相関情報をフィードバックする請求項５に記載の情報フィードバック方法。
【請求項８】
上記各非サービングセルの選択された送信ポートの識別情報のフィードバックが、上記選択された送信ポートのチャネル状態情報、および／または、協調セル間の上記チャネル相互相関情報のフィードバックと、同じ送信時間間隔内で衝突した場合に、
同時フィードバックが適用される、または、
上記各非サービングセルの選択された送信ポートの識別情報のみがフィードバックされる、または、
上記各非サービングセルの選択された送信ポートの全ての識別情報と、上記選択された送信ポートのチャネル状態情報の一部、および／または、上記協調セル間のチャネル相互相関情報とがフィードバックされる、
請求項７に記載の情報フィードバック方法。
【請求項９】
上記チャネル状態情報は、完全なチャネル状態情報、統計ベースのチャネル状態情報、および、コードブック空間探索ベースのチャネル状態情報のうちの一種類、または、数種類の組み合わせである請求項３から８のいずれか１項に記載の情報フィードバック方法。
【請求項１０】
上記コードブック空間探索ベースのチャネル状態情報は、チャネルランク、プリコーディングマトリクス、および、チャネル品質指標のうちの少なくともひとつを含む請求項９に記載の情報フィードバック方法。
【請求項１１】
上記第１のフィードバック周期は、上記第２のフィードバック周期よりも長い請求項３から８のいずれか１項に記載の情報フィードバック方法。
【請求項１２】
サービングセルから無線情報を受信し、サービングセルに無線情報を送信する送受信ユニットと、
マルチ・アンテナ・マルチ・セル協調に参加する協調セルセットであって、上記サービングセルおよび非サービングセルを含む協調セルセットを決定する協調セルセット決定ユニットと、
上記決定された協調セルセットにおいて、上記サービングセルおよび非サービングセルの送信ポートを選択する送信ポート選択ユニットと、
上記選択された送信ポートのチャネル状態情報を取得するチャネル状態情報取得ユニットと、
上記送受信ユニットを用いて、上記選択された送信ポートの識別情報および上記チャネル状態情報をフィードバックする情報フィードバックユニットと、を備えるユーザ装置。
【請求項１３】
上記協調セルセット決定ユニットは、上記送受信ユニットによって受信された上記無線情報から、上記協調セルセットを、静的に構成された上記協調セルセット、または、半静的に構成された上記協調セルセット、または、上記サービングセルによって選択された上記協調セルセットより直接決定し、
上記送信ポート選択ユニットは、上記送受信ユニットによって受信された上記無線情報から、上記送信ポートを、静的に構成された上記送信ポート、または、半静的に構成された上記送信ポート、または、上記サービングセルによって選択された上記送信ポートより直接選択する請求項１２に記載のユーザ装置。
【請求項１４】
選択された送信ポートに関する情報は、上記サービングセルの全ての送信ポートが選択されたことを示し、
上記情報フィードバックユニットは、第１のフィードバック周期で、上記各非サービングセルの選択された送信ポートの識別情報をフィードバックし、第２のフィードバック周期で、上記サービングセルの全ての送信ポートのチャネル状態情報と、上記各非サービングセルの選択された送信ポートのチャネル状態情報とをフィードバックする請求項１３に記載のユーザ装置。
【手続補正２】
【補正対象書類名】明細書
【補正対象項目名】００４２
【補正方法】変更
【補正の内容】
【００４２】
（２）上記ユーザ装置は、比較的長いフィードバック周期で、非サービングセルの送信ポートインデックスをフィードバックし、比較的短いフィードバック周期で、上記サービングセルのすべての送信ポートのチャネル状態情報と、送信ポートの条件に応じた非サービングセルのチャネル状態情報とをフィードバックする。上記非サービングセルの送信ポートインデックスのフィードバックと、別の情報のフィードバックとが、同じ送信時間間隔内で衝突した場合には、同時フィードバックを適用することができる、あるいは、上記送信ポートの条件に応じた非サービングセルの送信ポートインデックスのフィードバックは維持する一方で、上記サービングセルのチャネル状態情報、および／または、上記送信ポートの条件に応じた非サービングセルのチャネル状態情報のフィードバックは削除することができる、あるいは、上記非サービングセルの送信ポートインデックスのフィードバックは維持する一方で、上記サービングセルのチャネル状態情報の一部のみ、および／または、上記送信ポートの条件に応じた非サービングセルのチャネル状態情報がフィードバックされることが好ましい。
【手続補正３】
【補正対象書類名】明細書
【補正対象項目名】００８８
【補正方法】変更
【補正の内容】
【００８８】
非サービングセルの送信ポートインデックスのフィードバックと他の情報のフィードバックとが同じ送信時間間隔（the same transmission time interval）内で衝突した場合、同時フィードバックを採用できることが望ましい。もしくは、サービングセルのチャネル状態情報および／または送信ポートの条件に応じた非サービングセルのチャネル状態情報のフィードバックを削除することができるが、非サービングセルの送信ポートインデックスのフィードバックは維持されることが望ましい。もしくは、サービングセルのチャネル状態情報の一部のみ、および／または送信ポートの条件に応じた非サービングセルのチャネル状態情報がフィードバックされる一方、非サービングセルの送信ポートインデックスのフィードバックは維持されることが望ましい。
【手続補正４】
【補正対象書類名】明細書
【補正対象項目名】００９０
【補正方法】変更
【補正の内容】
【００９０】
非サービングセルの送信ポートインデックスのフィードバックと他の情報のフィードバックとが同じ送信時間間隔内で衝突した場合、同時フィードバックを採用できることが望ましい。もしくは、サービングセルのチャネル状態情報および／または送信ポートの条件に応じた非サービングセルのチャネル状態情報および／またはセル間のチャネル相互相関情報のフィードバックを削除することができるが、非サービングセルの送信ポートインデックスのフィードバックは維持されることが望ましい。もしくは、サービングセルのチャネル状態情報の一部のみ、および／または送信ポートの条件に応じた非サービングセルのチャネル状態情報および／またはセル間のチャネル相互相関情報がフィードバックされる一方、非サービングセルの送信ポートインデックスのフィードバックは維持されることが望ましい。
【手続補正５】
【補正対象書類名】明細書
【補正対象項目名】０１１２
【補正方法】変更
【補正の内容】
【０１１２】
なお、同じ送信時間間隔内で非サービングセルの送信ポートインデックスのフィードバックと他のフィードバックフォーマットとが衝突した場合、同時フィードバックを採用できる。もしくは、サービングセルのチャネル状態情報および／または送信ポートの条件に応じた非サービングセルのチャネル状態情報のフィードバックを削除することができるが、非サービングセルの送信ポートインデックスのフィードバックは維持される。もしくは、サービングセルのチャネル状態情報の一部のみ、および／または送信ポートの条件に応じた非サービングセルのチャネル状態情報がフィードバックされる一方、非サービングセルの送信ポートインデックスのフィードバックは維持される。さらに、サービングセルのチャネル状態情報と送信ポートの条件に応じた非サービングセルのチャネル状態情報は、それら二つのフィードバックが同期をとるように設定されている限り、本実施形態においては、結合させ、一緒にフィードバックさせることが可能である。
【手続補正６】
【補正対象書類名】明細書
【補正対象項目名】０１３１
【補正方法】変更
【補正の内容】
【０１３１】
或いは、情報フィードバックユニット２０５０は、非サービングセルの送信ポートインデックスを比較的長いフィードバック周期でフィードバックし、選択された送信ポートのチャネル状態情報と送信ポートの条件に応じた非サービングセルのチャネル状態情報とを比較的短い周期でフィードバックする。上記チャネル状態情報は下記の３種類の形式の内のいずれか１つ、または、それらのいくつかの組合せでありうる。すなわち、完全なチャネル状態情報と、統計ベースのチャネル状態情報と、チャネルランクおよび／またはプリコーディングマトリクスおよび／またはチャネル品質指標等を含みうる、コードブック空間探索ベースのチャネル状態情報とである。非サービングセルの送信ポートインデックスのフィードバックと他の情報のフィードバックとが同じ送信時間間隔内で衝突した場合、情報フィードバックユニット２０５０は、同時フィードバックを採用することができる。もしくは、サービングセルのチャネル状態情報および／または送信ポートの条件に応じた非サービングセルのチャネル状態情報のフィードバックを削除することができるが、非サービングセルの送信ポートインデックスのフィードバックは維持する。もしくは、サービングセルのチャネル状態情報の一部分および／または送信ポートの条件に応じた非サービングセルのチャネル状態情報のフィードバックを行う一方、非サービングセルの送信ポートインデックスのフィードバックを維持する。
【手続補正７】
【補正対象書類名】明細書
【補正対象項目名】０１３２
【補正方法】変更
【補正の内容】
【０１３２】
情報フィードバックユニット２０５０は、非サービングセルの送信ポートインデックスを比較的長いフィードバック周期でフィードバックする一方、選択された送信ポートのチャネル状態情報と送信ポートの条件に応じた非サービングセルのチャネル状態情報とを比較的短い周期でフィードバックする。上記チャネル状態情報は下記の３種類の形式の内のいずれか１つ、または、それらのいくつかの組合せでありうる。すなわち、完全なチャネル状態情報と、統計ベースのチャネル状態情報と、チャネルランクおよび／またはプリコーディングマトリクスおよび／またはチャネル品質指標等を含みうる、コードブック空間探索ベースのチャネル状態情報とである。さらに、情報フィードバックユニット２０５０はセル間のチャネル相互相関情報をフィードバックする。非サービングセルの送信ポートインデックスのフィードバックと他の情報のフィードバックとが同じ送信時間間隔内で衝突した場合、情報フィードバックユニット２０５０は、同時フィードバックを採用できる。もしくは、サービングセルのチャネル状態情報および／または送信ポートの条件に応じた非サービングセルのチャネル状態情報および／またはセル間のチャネル相互相関情報のフィードバックを削除することができるが、非サービングセルの送信ポートインデックスのフィードバックを維持する。もしくは、サービングセルのチャネル状態情報の一部および／または送信ポートの条件に応じた非サービングセルのチャネル状態情報および／またはセル間のチャネル相互相関情報のフィードバックを行う一方、非サービングセルの送信ポートインデックスのフィードバックを少なくとも維持する。
【国際調査報告】
2013506315.tif 000023